(57)【要約】【課題】第１及び第２巻取パイプ間の隙間からの光漏れの防止と、遮蔽体の巻取り上限位置における見栄えの向上の双方を達成する。【解決手段】支持バー１４両端の支持部材１７に上下に間隔をあけて取付けられた第１及び第２巻取パイプ１１，１２に第１及び第２遮蔽体２１，２２が繰出し可能に巻取られる。第１及び第２遮蔽体を第１及び第２巻取パイプに巻取る方向に第１及び第２巻取ばねが付勢し、第１及び第２遮蔽体を繰出し又は巻取るために操作部材が操作される。支持バーがバー本体１４ａとカバー部１４ｂとを有し、カバー部の下端縁が第１及び第２巻取パイプのうち下側の第２巻取パイプの上面より下方に位置する。第１及び第２遮蔽体が第１及び第２巻取パイプに巻取られることにより、第１及び第２ウエイトバー４１，４２がバー本体の他端縁及びカバー部の下端縁にそれぞれ当接する。【選択図】図１
2018066235.tif 000002
【特許請求の範囲】
【請求項１】
壁、窓枠又は天井に複数のブラケットを介して取付けられかつ両端に一対の支持部材が取付けられた単一の支持バーと、前記一対の支持部材に上下に間隔をあけて回転可能に取付けられた第１及び第２巻取パイプと、前記第１及び第２巻取パイプに上縁がそれぞれ固定され前記第１及び第２巻取パイプに繰出し可能に巻取られる第１及び第２遮蔽体と、前記第１及び第２巻取パイプにそれぞれ内蔵され前記第１及び第２遮蔽体を前記第１及び第２巻取パイプに巻取る方向に前記第１及び第２巻取パイプを回転させるための付勢力が蓄えられた第１及び第２巻取ばねと、前記第１及び第２巻取パイプをそれぞれ正転又は逆転させて前記第１及び第２遮蔽体を繰出し又は巻取るために操作される操作部材とを備えたロールスクリーンにおいて、
前記支持バーが、前記第１及び第２巻取パイプと平行に設けられ前記ブラケットに係止されるバー本体と、このバー本体の一側縁から垂下されたカバー部とを有し、
前記カバー部の下端縁が前記第１及び第２巻取パイプのうち下側の第２巻取パイプの上面より所定の距離だけ下方に位置するように構成され、
前記第１及び第２遮蔽体の下端に第１及び第２ウエイトバーがそれぞれ取付けられ、
前記第１遮蔽体を前記第１巻取りパイプに巻取っていくと、前記第１ウエイトバーが前記バー本体のうち前記カバー部が垂下された一端縁とは反対側の他端縁に当接し、
前記第２遮蔽体を前記第２巻取パイプに巻取っていくと、前記第２ウエイトバーが前記カバー部の下端縁に当接するように構成された
ことを特徴とするロールスクリーン。
【請求項２】
前記第１巻取パイプが前記第２巻取パイプに対して室内側又は窓側にオフセットして設けられ、
前記ブラケットに一対の被係止部が形成され、
前記支持バーに前記一対の被係止部に離脱可能に係止する一対の係止部が形成され、
前記バー本体の一対の係止部から等距離にある点を通りかつ前記壁に平行な鉛直面を面Ｘとし、前記第１巻取パイプの軸線を含む鉛直面と前記第２巻取パイプの軸線を含む鉛直面との間に両鉛直面から等距離に位置する鉛直面を面Ｙとするとき、前記面Ｘと前記面Ｙが一致するように構成され、
前記支持バーを左右反転させて前記ブラケットに取付け可能に構成された請求項１記載のロールスクリーン。
【請求項３】
前記バー本体のうち前記カバー部が垂下された一端縁とは反対側の他端縁にこの他端縁に沿って延びかつ前記第１ウエイトバーが当接可能な第１クッションバーが取付けられ、
前記カバー部の下端縁にこの下端縁に沿って延びかつ前記第２ウエイトバーが当接可能な第２クッションバーが取付けられた請求項２記載のロールスクリーン。
【請求項４】
前記操作部材が、前記第１及び第２巻取パイプを正転又は逆転させる単一の操作チェーンである請求項１記載のロールスクリーン。
【請求項５】
前記操作部材が、前記第１遮蔽体の下端中央に垂下され前記第１巻取パイプを正転又は逆転させる第１プル操作具と、前記第２遮蔽体の下端中央に垂下され前記第２巻取パイプを正転又は逆転させる第２プル操作具とを有する請求項１記載のロールスクリーン。
【発明の詳細な説明】
【技術分野】
【０００１】
本発明は、第１及び第２巻取パイプに内蔵された第１及び第２巻取ばねに蓄えられた付勢力によって第１及び第２遮蔽体を巻取り可能であって、第１及び第２遮蔽体を操作部材により昇降させるロールスクリーンに関するものである。
【背景技術】
【０００２】
従来、一対のサイドプレートの間に２つの巻取パイプが配置され、各巻取パイプに遮蔽体の一端が巻取り及び繰出し可能に連結されており、一方の巻取パイプに連結される遮蔽体は、その巻取り上限位置において、それぞれの巻取パイプに巻取られた遮蔽体の巻取部分同士の間で形成される上下方向の隙間を正面から見て覆い隠すように、その巻取り上限位置が設定されたロールスクリーンが開示されている（例えば、特許文献１参照。）。
【０００３】
このように構成されたロールスクリーンでは、一方の巻取パイプに連結された遮蔽体の巻取り上限位置において、その遮蔽体の巻取パイプに巻取られていない遮蔽体部分が、上記隙間を覆い隠すために、この隙間からの光漏れを防止することができる。また、一方の巻取パイプに連結された遮蔽体を、正面側から昇降するように巻取パイプに巻取り及び繰出し可能に連結すると、遮蔽体の巻取り上限位置において、その遮蔽体の巻取パイプに巻取られていない遮蔽体部分が、よりバランス的な役目を果たして、意匠性をより良好にすることができる。
【先行技術文献】
【特許文献】
【０００４】
【特許文献１】特許第３７６５９９６号公報（請求項１、段落［０００８］、図１、図２）
【発明の概要】
【発明が解決しようとする課題】
【０００５】
しかし、上記従来の特許文献１に示されたロールスクリーンでは、一方の巻取パイプに連結された遮蔽体の巻取り上限位置において、その遮蔽体の巻取パイプに巻取られていない遮蔽体部分が存在すると、中途半端に遮蔽体が巻取られており、上記巻取られていない遮蔽体部分の見栄えが悪い不具合があった。
【０００６】
本発明の第１の目的は、第１及び第２巻取パイプ間の隙間からの光漏れの防止と、遮蔽体の巻取り上限位置における見栄えの向上の双方を達成できる、ロールスクリーンを提供することにある。本発明の第２の目的は、ロールスクリーンの設置場所における操作性により、ロールスクリーンを左右反転させて、支持バーのカバー部を窓側に位置させても或いは室内側に位置させても、第１遮蔽体と第２遮蔽体の位置が相互に入れ替わるだけであり、遮蔽体により室内を狭めることがない、ロールスクリーンを提供することにある。本発明の第３の目的は、第１遮蔽体が第１巻取ばねの付勢力により第１巻取パイプに巻取られて第１ウエイトバーが支持バーのバー本体の一端縁に当接したときの衝撃及び衝撃音を吸収できるとともに、第２遮蔽体が第２巻取ばねの付勢力により第２巻取パイプに巻取られて第２ウエイトバーが支持バーのカバー部の下端縁に当接したときの衝撃及び衝撃音を吸収できる、ロールスクリーンを提供することにある。
【課題を解決するための手段】
【０００７】
本発明の第１の観点は、図１、図５及び図７に示すように、壁１５、窓枠又は天井に複数のブラケット１３を介して取付けられかつ両端に一対の支持部材１６，１７が取付けられた単一の支持バー１４と、一対の支持部材１６，１７に上下に間隔をあけて回転可能に取付けられた第１及び第２巻取パイプ１１，１２と、第１及び第２巻取パイプ１１，１２に上縁がそれぞれ固定され第１及び第２巻取パイプ１１，１２に繰出し可能に巻取られる第１及び第２遮蔽体２１，２２と、第１及び第２巻取パイプ１１，１２にそれぞれ内蔵され第１及び第２遮蔽体２１，２２を第１及び第２巻取パイプ１１，１２に巻取る方向に第１及び第２巻取パイプ１１，１２を回転させるための付勢力が蓄えられた第１及び第２巻取ばね３１，３２と、第１及び第２巻取パイプ１１，１２をそれぞれ正転又は逆転させて第１及び第２遮蔽体２１，２２を繰出し又は巻取るために操作される操作部材１８とを備えたロールスクリーンにおいて、支持バー１４が、第１及び第２巻取パイプ１１，１２と平行に設けられブラケット１３に係止されるバー本体１４ａと、このバー本体１４ａの一側縁から垂下されたカバー部１４ｂとを有し、カバー部１４ｂの下端縁が第１及び第２巻取パイプ１１，１２のうち下側の第２巻取パイプ１２の上面より所定の距離だけ下方に位置するように構成され、第１及び第２遮蔽体１１，１２の下端に第１及び第２ウエイトバー４１，４２がそれぞれ取付けられ、第１遮蔽体２１が第１巻取パイプ１１に巻取られていくと、第１ウエイトバー４１がバー本体１４ａのうちカバー部１４ｂが垂下された一端縁とは反対側の他端縁に当接し、第２遮蔽体２２が第２巻取りパイプ１２に巻取られていくと、第２ウエイトバー４２がカバー部１４ｂの下端縁に当接するように構成されたことを特徴とする。
【０００８】
本発明の第２の観点は、第１の観点に基づく発明であって、更に図１及び図２に示すように、第１巻取パイプ１１が第２巻取パイプ１２に対して室内側又は窓側にオフセットして設けられ、ブラケット１３に一対の被係止部１３ｃ，１３ｄが形成され、バー本体１４ａに一対の被係止部１３ｃ，１３ｄに離脱可能に係止する一対の係止部１４ｃ，１４ｄが形成され、バー本体１４ａの一対の係止部１４ｃ，１４ｄから等距離にある点を通りかつ壁１５に平行な鉛直面を面Ｘとし、第１巻取パイプ１１の軸線を含む鉛直面と第２巻取パイプ１２の軸線を含む鉛直面との間に両鉛直面から等距離に位置する鉛直面を面Ｙとするとき、面Ｘと面Ｙが一致するように構成され、支持バー１４を左右反転させてブラケット１３に取付け可能に構成されたことを特徴とする。
【０００９】
本発明の第３の観点は、第２の観点に基づく発明であって、更に図１〜図４に示すように、バー本体１４ａのうちカバー部１４ｂが垂下された一端縁とは反対側の他端縁にこの他端縁に沿って延びかつ第１ウエイトバー４１が当接可能な第１クッションバー５１が取付けられ、カバー部１４ｂの下端縁にこの下端縁に沿って延びかつ第２ウエイトバー４２が当接可能な第２クッションバー５２が取付けられたことを特徴とする。
【００１０】
本発明の第４の観点は、第１の観点に基づく発明であって、更に図５〜図７に示すように、操作部材が、第１及び第２巻取パイプ１１，１２を正転又は逆転させる単一の操作チェーン１８であることを特徴とする。
【００１１】
本発明の第５の観点は、第１の観点に基づく発明であって、更に図９及び図１０に示すように、操作部材が、第１遮蔽体２１の下端中央に垂下され第１巻取パイプ１１を正転又は逆転させる第１プル操作具２１１と、第２遮蔽体２２の下端中央に垂下され第２巻取パイプ１２を正転又は逆転させる第２プル操作具２１２とを有することを特徴とする。
【発明の効果】
【００１２】
本発明の第１の観点のロールスクリーンでは、支持バーのカバー部の下端縁を第１及び第２巻取パイプのうち下側の第２巻取パイプの上面より下方に位置するように構成したので、室外の光が第１及び第２巻取パイプの間の隙間を通って室内に侵入するのを防止できるとともに、室内の光が第１及び第２巻取パイプの間の隙間を通って窓から室外に漏れるのを防止できる。この結果、第１及び第２巻取パイプ間の隙間からの光漏れを防止できる。また、第１遮蔽体が第１巻取パイプに巻取られていくと、第１ウエイトバーがバー本体の他端縁に当接し、第２遮蔽体が第２巻取りパイプに巻取られていくと、第２ウエイトバーがカバー部の下端縁に当接するので、上記当接時に、第１及び第２遮蔽体の殆ど全てが第１及び第２巻取パイプにそれぞれ巻取られる。この結果、第１及び第２遮蔽体の巻取り上限位置における見栄えを向上できる。従って、第１及び第２巻取パイプ間の隙間からの光漏れの防止と、遮蔽体の巻取り上限位置における見栄えの向上の双方を達成できる。
【００１３】
本発明の第２の観点のロールスクリーンでは、バー本体の一対の係止部から等距離にある点を通りかつ壁に平行な鉛直面を面Ｘとし、第１巻取パイプの軸線を含む鉛直面と第２巻取パイプの軸線を含む鉛直面との間に両鉛直面から等距離に位置する鉛直面を面Ｙとするとき、面Ｘと面Ｙが一致するように構成し、支持バーを左右反転させてブラケットに取付け可能に構成したので、ロールスクリーンの設置場所における操作性等により、バー本体の一対の係止部をブラケットの一対の被係止部から取外し、ロールスクリーンを左右反転させて、バー本体の一対の係止部をブラケットの一対の被係止部に係止させると、支持バーのカバー部が窓側から室内側に或いは室内側から窓側に移行するけれども、第１遮蔽体と第２遮蔽体の位置が相互に入れ替わるだけであるため、遮蔽体により室内が狭められることはない。
【００１４】
本発明の第３の観点のロールスクリーンでは、バー本体の他端縁に第１クッションバーを取付けたので、第１遮蔽体が第１巻取ばねの付勢力により第１巻取パイプに巻取られて第１ウエイトバーが支持バーのバー本体の一端縁に第１クッションバーを介して当接する。このため、第１クッションバーが上記当接時の衝撃を吸収できるとともに、その衝撃音を吸収して低減できる。また、カバー部の下端縁に第２クッションバーを取付けたので、第２遮蔽体が第２巻取ばねの付勢力により第２巻取パイプに巻取られて第２ウエイトバーが支持バーのカバー部の下端縁に第２クッションバーを介して当接する。このため、第２クッションバーが上記当接時の衝撃を吸収できるとともに、その衝撃音を吸収して低減できる。
【図面の簡単な説明】
【００１５】
【図１】本発明第１実施形態の単一の操作チェーンを有するロールスクリーンを示す図７のＡ−Ａ線断面図である。
【図２】第１及び第２ウエイトバーが第１及び第２クッションバーにそれぞれ当接した状態を示す図１に対応する断面図である。
【図３】図１のＢ部拡大断面図である。
【図４】図１のＡ部拡大断面図である。
【図５】そのプーリ及び歯車ユニットを第１及び第２巻取パイプの右側に取付けた状態であって歯車ケースからプーリカバーを取外した状態を示すロールスクリーンの右側面図である。
【図６】そのプーリ及び歯車ユニットを第１及び第２巻取パイプの左側に取付けた状態であって歯車ケースからプーリカバーを取外した状態を示すロールスクリーンの左側面図である。
【図７】図１のＤ−Ｄ線断面図である。
【図８】図５のＥ−Ｅ線断面図である。
【図９】本発明第２実施形態の第１及び第２プル操作具を有するロールスクリーンを示す図１０のＦ−Ｆ線断面図である。
【図１０】第１及び第２ウエイトバーが第１及び第２クッションバーにそれぞれ当接した状態を示す図９に対応する断面図である。
【発明を実施するための形態】
【００１６】
次に本発明を実施するための形態を図面に基づいて説明する。
【００１７】
＜第１の実施の形態＞
図１、図５及び図７に示すように、ロールスクリーン１０は、壁１５に２つのブラケット１３を介して取付けられかつ両端に一対の支持部材１６，１７が取付けられた単一の支持バー１４と、一対の支持部材１６，１７に上下に間隔をあけて回転可能に取付けられた第１及び第２巻取パイプ１１，１２と、第１及び第２巻取パイプ１１，１２に上縁が固定された第１及び第２遮蔽体２１，２２と、第１及び第２巻取パイプ１１，１２にそれぞれ内蔵された第１及び第２巻取ばね３１，３２と、第１及び第２巻取パイプ１１，１２を正転又は逆転させる単一の操作部材１８とを備える。
【００１８】
ブラケット１３は、図１及び図２に詳しく示すように、略Ｌ字状に形成された壁取付部１３ａと、この壁取付部１３ａの突出端下面に取付けられたバー保持部１３ｂとを有する。バー保持部１３ｂには室内側から窓側の方向に所定の間隔をあけて一対の被係止部１３ｃ，１３ｄが形成される。これらの被係止部１３ｃ，１３ｄは互いに近付く方向に図示しないばねにより付勢される。上記一対の被係止部１３ｃ，１３ｄは、この実施の形態では、互いに向き合う一対の爪状に形成される。また、支持バー１４は、第１及び第２巻取パイプ１１，１２と平行に設けられ上記一対の被係止部１３ｃ，１３ｄに係止可能な一対の係止部１４ｃ，１４ｄが形成されたバー本体１４ａと、このバー本体１４ａの一側縁から垂下されたカバー部１４ｂとを有する。上記一対の係止部１４ｃ，１４ｄは室内側から窓側の方向に所定の間隔をあけて形成される。また、上記一対の係止部１４ｃ，１４ｄは、この実施の形態では、互いに反対方向を向く凹溝状に形成される。更に、カバー部１４ｂの下端縁は、第１及び第２巻取パイプ１１，１２のうち下側の第２巻取パイプ１２の上面より所定の距離だけ下方に位置するように構成される。具体的には、カバー部１４ｂの下端縁は、第２巻取パイプ１２の上面より１〜３ｍｍだけ下方に位置するように構成される。
【００１９】
一方、第１及び第２巻取パイプ１１，１２は互いに平行に配置され、第１巻取パイプ１１は第２巻取パイプ１２に対して室内側にオフセットして設けられる（図１及び図２）。具体的には、操作チェーン１８が第１及び第２巻取パイプ１１，１２の右側に位置するようにロールスクリーン１０を設置したときに（図７）、第１巻取パイプ１１は一対の支持部材１６，１７の上部であって一対の支持部材１６，１７の室内側の側縁側に寄った位置に取付けられ、第２巻取パイプ１２は一対の支持部材１６，１７の下部であって一対の支持部材１６，１７の窓側の側縁に寄った位置に取付けられる（図１及び図２）。そして、第１遮蔽体２１は第１巻取パイプ１１の室内側の面から垂下され、第２遮蔽体２２は第２巻取パイプ１２の窓側の面から垂下される。また、図２に詳しく示すように、バー本体１４ａの一対の係止部１４ｃ，１４ｄから等距離にある点を通りかつ壁に平行な鉛直面を面Ｘとし、第１巻取パイプ１１の軸線を含む鉛直面と第２巻取パイプ１２の軸線を含む鉛直面との間に両鉛直面から等距離に位置する鉛直面を面Ｙとするとき、面Ｘと面Ｙが一致するように構成され、支持バー１４を左右反転させてブラケット１３に取付け可能に構成される。
【００２０】
第１及び第２巻取ばね３１，３２には第１及び第２遮蔽体２１，２２を第１及び第２巻取パイプ１１，１２に巻取る方向に第１及び第２巻取パイプ１１，１２を回転させるための付勢力がそれぞれ蓄えられる（図７）。また、単一の操作部材１８は、この実施の形態では、単一の操作チェーンであり、この操作チェーン１８は、第１及び第２遮蔽体２１，２２をそれぞれ繰出し又は巻取るために操作される。第１及び第２遮蔽体１１，１２の下端には、第１及び第２ウエイトバー４１，４２がそれぞれ取付けられる。第１ウエイトバー４１は、第１遮蔽体２１が第１巻取パイプ１１に巻取られていくと、バー本体１４ａのうちカバー部１４ｂが垂下された一端縁とは反対側の他端縁に当接し、第２ウエイトバー４２は、第２遮蔽体２２が第２巻取パイプ１２に巻取られていくと、カバー部１４ｂの下端縁に当接するように構成される。また、バー本体１４ａのうちカバー部１４ｂが垂下された一端縁とは反対側の他端縁には、第１クッションバー５１が取付けられ（図１〜図３）、カバー部１４ｂの下端縁には、第２ウエイトバー４２が当接可能な第２クッションバー５２が取付けられる（図１、図２及び図４）。第１クッションバー５１はバー本体１４ａの他端縁に沿うように延びて設けられ、第１クッションバー５１には第１ウエイトバー４１が当接可能に構成される（図２）。更に、第２クッションバー５２はカバー部１４ｂの下端縁に沿うように延びて設けられ、第２クッションバー５２には第２ウエイトバー４２が当接可能に構成される。なお、バー本体１４ａのうちカバー部１４ｂが垂下された一端縁とは反対側の他端縁と、第１遮蔽体２１の殆ど全てが第１巻取パイプ１１に巻取られたときの第１巻取パイプ１１の外周面との隙間は、第１ウエイトバー４１の外径より小さく形成される。また、カバー部１４ｂの下端縁と、第２遮蔽体２２の殆ど全てが第２巻取パイプ１２に巻取られたときの第２巻取パイプ１２の外周面との隙間は、第２ウエイトバー４２の外径より小さく形成される。
【００２１】
一方、ロールスクリーン１０は、更に操作チェーン１８と第１及び第２巻取パイプ１１，１２との間にそれぞれ設けられた第１及び第２回転伝達切換装置６１，６２と、操作チェーン１８が巻き掛けられる単一のプーリ１９と、プーリ１９と第１及び第２回転伝達切換装置６１，６２との間に設けられた歯車列２３とを更に備える。上記歯車列２３は、単一のプーリ１９と一体的に設けられた駆動歯車２３ａと、この駆動歯車２３ａに噛合する中間歯車２３ｂと、この中間歯車２３ｂに噛合し第１回転伝達切換装置６１に連結された第１従動歯車２３ｃと、中間歯車２３ｂに噛合し第２回転伝達切換装置６２に連結された第２従動歯車２３ｄとを有する（図５及び図８）。そして、上記歯車列２３により、操作チェーン１８の操作力がプーリ１９から第１及び第２回転伝達切換装置６１，６２に伝達されるようになっている。これらの歯車２３ａ〜２３ｄは歯車ケース２４に回転可能にそれぞれ収容され、この歯車ケース２４にビス（図示せず）により取付けられたプーリカバー２６に上記プーリ１９が収容される。そして歯車ケース２４及びプーリカバー２６により一方の支持部材１６が構成されるとともに、歯車列２３が収容された歯車ケース２４とこの歯車ケース２４に取付けられ操作チェーン１８の上部及びプーリ１９を収容しかつ下面及び下部側面が開口したプーリカバー２６とによりプーリ及び歯車ユニット２７が構成される。
【００２２】
歯車ケース２４の下端外面には、この歯車ケース２４の下端外面からからプーリカバー２６の下端内面に向って補強用ボス２４ａが突設される（図５、図６及び図８）。また、プーリカバー２６には通孔２６ａが補強用ボス２４ａに対向して形成される。この通孔２６ａにビス２８を挿通して補強用ボス２４ａに螺合することによりプーリカバー２６の下端が歯車ケース２４に固定される。これによりプーリカバー２６下部の強度を確保できる。また、補強用ボス２４ａには軟質樹脂又は軟質ゴムにより形成された軟質筒状体２９が嵌入される。更に、操作チェーン１８が第１及び第２巻取パイプ１１，１２の左側に位置するようにロールスクリーン１０を設置した場合（図６）、プーリ１９から垂下された操作チェーン１８の室内側の操作部及び窓側の操作部が補強用ボス２４ａより窓側に位置するため、操作チェーン１８の室内側の操作部が補強用ボス２４ａより室内側に位置するように配索される。即ち、操作チェーン１８が補強用ボス２４ａに遊嵌されるように構成される。
【００２３】
一方、第１回転伝達切換装置６１は操作チェーン１８と第１巻取パイプ１１との間に設けられ、第２回転伝達切換装置６２は操作チェーン１８と第２巻取パイプ１２との間に設けられる（図８）。第１回転伝達切換装置６１は、操作チェーン１８の室内側の操作部を図５の実線矢印で示す方向に引下げ操作したときにこの操作力を第１巻取パイプ１１に伝達しかつ操作チェーン１８の窓側の操作部を図５の破線矢印で示す方向に引下げ操作したときにこの操作力を第１巻取パイプ１１に伝達しないクラッチ機能と、操作チェーン１８の室内側の操作部の引下げ操作を停止することにより第１巻取パイプ１１をその位置に一時的に固定するロック機能と、操作チェーン１８の室内側の操作部を図５の実線矢印で示す方向に僅かに引下げ操作することにより上記一時的な固定を解除するロック解除機能とを有する。即ち、第１回転伝達切換装置４１は、上記クラッチ機能を発揮する第１クラッチ部７１と、上記ロック機能及びロック解除機能を発揮する第１ストッパ部８１と、第１中間軸９１及び第１ストッパ部７１間に設けられ操作チェーン１８の室内側の操作部を図５の実線矢印で示す方向に引下げ操作したときに第１中間軸９１及び第１ストッパ部８１間に比較的小さいトルクを発生させる第１トルク発生部１０１とを有する。なお、上記第１中間軸９１は第１従動歯車２３ｃに第１クラッチ部７１を介して連結される。
【００２４】
第１クラッチ部７１は、図示しないが、第１従動歯車２３ｃとともに回転可能に構成され第１中間軸９１を挿通可能な第１クラッチ用外輪と、第１中間軸９１の外周面に接する円柱状の複数の第１クラッチ用ローラと、複数の第１クラッチ用ローラを第１クラッチ用外輪の中にそれぞれ収容する複数の第１ローラ収容空間と、薄い金属ばね材を一体成型することにより形状された第１クラッチ用板ばねとを有する。複数の第１クラッチ用ローラは複数の第１ローラ収容空間内を第１クラッチ用外輪の円周方向に移動することにより、第１中間軸９１の第１クラッチ用外輪に対する相対回転を不能にするか、或いは第１中間軸９１の第１クラッチ用外輪に対する相対回転を可能にして第１クラッチ部７１を空転させるように構成される。また、第１ストッパ部８１は、操作チェーン１８の室内側の操作部を図５の実線矢印で示す方向に僅かに引下げ操作することにより第１遮蔽体２１を下降状態又は停止状態に切換えるように構成される（図５及び図８）。具体的には、第１ストッパ部８１は、第１トルク発生部１０１に嵌入され外周面に第１カム溝８１ｂが形成された第１円筒カム８１ａと、この第１円筒カム８１ａを収容するように歯車ケース２４の上部にこの歯車ケース２４と一体的に設けられ第１中間軸９１の軸方向に延びる第１ガイド溝８１ｄが形成された第１カム用ケース８１ｃと、第１カム溝８１ｂと第１ガイド溝８１ｄとの重なる空間内を転動する単一の第１転動体８１ｅとを有する（図８）。また、第１カム溝８１ｂは、図示しないが、第１円筒カム８１ａの他方の回転を阻止する第２正転阻止用ポケットと、第２円筒カム８１ａの一方の回転を阻止する第２逆転阻止用ポケットとを有する。更に、第１トルク発生部１０１は、第１中間軸９１に相対回転不能に嵌入されかつ第１円筒カム８１ａが相対回転可能に嵌入された第１内輪部１０１ａと、この第１内輪部１０１ａに嵌入された第１捩りコイルばね１０１ｂとを有する。第１円筒カム８１ａ及び第１内輪部１０１ａ間のトルクは、この実施の形態では、第１遮蔽体２１を巻取る方向に第１巻取パイプ１１が回転するように第１巻取ばね３１が一定の荷重で付勢した状態で、第１遮蔽材２１及び第１ウエイトバー４１の自重により第１遮蔽体２１が第１巻取パイプ１１から繰出されるのを阻止する値に設定される。
【００２５】
第２回転伝達切換装置６２は、操作チェーン１８の窓側の操作部を図５の破線矢印の方向に引下げ操作したときにこの操作力を第２巻取パイプ１２に伝達しかつ操作チェーン１８の室内側の操作部を図５の実線矢印で示す方向に引下げ操作したときにこの操作力を第２巻取パイプ１２に伝達しないクラッチ機能と、操作チェーン１８の窓側の操作部の図５の破線矢印で示す方向への引下げ操作を停止することにより第２巻取パイプ１２をその位置に一時的に固定するロック機能と、操作チェーン１８の窓側の操作部を図５の破線矢印で示す方向に引下げ操作することにより上記一時的な固定を解除するロック解除機能とを有する。即ち、第２回転伝達切換装置６２は、上記クラッチ機能を発揮する第２クラッチ部７２と、上記ロック機能及びロック解除機能を発揮する第２ストッパ部８２と、第２中間軸９２及び第２ストッパ部８２間に設けられ操作チェーン１８の窓側の操作部を図５の破線矢印で示す方向に引下げ操作したときに第２中間軸９２及び第２ストッパ部８２間に比較的小さいトルクを発生させる第２トルク発生部１０２とを有する（図８）。なお、上記第２中間軸９２は第２従動歯車２３ｄに第２クラッチ部７２を介して連結される。
【００２６】
第２クラッチ部７２は、図示しないが、第２従動歯車２３ｄとともに回転可能に構成され第２中間軸９２を挿通可能な第２クラッチ用外輪と、第２中間軸９２の外周面に接する円柱状の複数の第２クラッチ用ローラと、複数の第２クラッチ用ローラを第２クラッチ用外輪の中にそれぞれ収容する複数の第２ローラ収容空間と、薄い金属ばね材を一体成型することにより形状された第２クラッチ用板ばねとを有する。複数の第２クラッチ用ローラは複数の第２ローラ収容空間内を第２クラッチ用外輪の円周方向に移動することにより、第２中間軸９２の第２クラッチ用外輪に対する相対回転を不能にするか、或いは第２中間軸９２の第２クラッチ用外輪に対する相対回転を可能にして第２クラッチ部７２を空転させるように構成される。また、第２ストッパ部８２は、操作チェーン１８の窓側の操作部を図５の破線矢印で示す方向に僅かに引下げ操作することにより第２遮蔽体２１を下降状態又は停止状態に切換えるように構成される（図５及び図８）。具体的には、第２ストッパ部８２は、後述の第２トルク発生部１０２に嵌入され外周面に第２カム溝８２ｂが形成された第２円筒カム８２ａと、この第２円筒カム８２ａを収容するように歯車ケース２４の下部にこの歯車ケース２４と一体的に設けられ第２中間軸９２の軸方向に延びる第２ガイド溝８２ｄが形成された第２カム用ケース８２ｃと、第２カム溝８２ｂと第２ガイド溝８２ｄとの重なる空間内を転動する第２転動体８２ｅとを有する（図８）。また、第２カム溝８２ｂは、図示しないが、第２円筒カム８２ａの他方の回転を阻止する第２正転阻止用ポケットと、第２円筒カム８２ａの一方の回転を阻止する第２逆転阻止用ポケットとを有する。更に、第２トルク発生部１０２は、第２中間軸９２に相対回転不能に嵌入されかつ第２円筒カム８２ａが相対回転可能に嵌入された第２内輪部１０２ａと、この第２内輪部１０２ａに嵌入された第２捩りコイルばね１０２ｂとを有する。第２円筒カム８２ａ及び第２内輪部１０２ａ間のトルクは、この実施の形態では、第２遮蔽体２２を巻取る方向に第２巻取パイプ１２が回転するように第２巻取ばね３２が一定の荷重で付勢した状態で、第２遮蔽材２２及び第２ウエイトバー４２の自重により第２遮蔽体２２が第２巻取パイプ１２から繰出されるのを阻止する値に設定される。なお、第１カム用ケース８１ｃには、第１巻取パイプ１１の一端を嵌着可能な第１筒体１１１が回転可能に嵌入され、第２カム用ケース８２ｃには、第２巻取パイプ１２の一端を嵌着可能な第２筒体１１２が回転可能に嵌入される（図７及び図８）。
【００２７】
一方、第１回転伝達切換装置６１と第１巻取パイプ１１との間には、第１トルクリミッタ１２１が設けられ、第２回転伝達切換装置６２と第２巻取パイプ１２との間には、トルクの発生する回転方向を第１トルクリミッタ１２１と逆にした第２トルクリミッタ１２２が設けられる（図８）。上記第１トルクリミッタ１２１と第２トルクリミッタ１２２とは同一形状に形成される。そして、第１及び第２トルクリミッタ１２１，１２２は、外輪部１２３と、この外輪部１２３に相対回転可能に挿入された内輪部１２４と、外輪部１２３及び内輪部１２４間に介装されかつ所定値のトルクを発生させるトルク発生部１２６と、内輪部１２３の外輪部１２４に対する一方への相対回転を許容しかつ他方への相対回転を阻止するクラッチ部１２７とをそれぞれ有する。
【００２８】
第１トルクリミッタ１２１は第１筒体１１１と一体的に形成された第１リミッタケース１３１に収容され、この第１リミッタケース１３１の先端面は第１リミッタキャップ１４１により閉止される（図７及び図８）。これにより外輪部１２３が第１巻取パイプ１１に固定されかつ内輪部１２４が第１回転伝達切換装置６１に連結される。また、第２トルクリミッタ１２２は第２筒体１１２と一体的に形成された第２リミッタケース１３２に収容され、この第２リミッタケース１３２の先端面は第２リミッタキャップ１４２により閉止される。これにより外輪部１２３が第２巻取パイプ１２に固定されかつ内輪部１２４が第２回転伝達切換装置６２に連結される。
【００２９】
トルク発生部１２６は、出力軸１２８に相対回転可能に嵌入されかつ外輪部１２３が相対回転可能に嵌入された内輪部１２４と、この内輪部１２４に嵌入された捩りコイルばね１２９とを有する（図８）。第１トルクリミッタ１２１の出力軸１２８は、第１回転伝達切換装置６１の第１ストッパ部８１及び第１トルク発生部１０１の第１中間軸９１に対してスライドすることにより第１中間軸９１に相対回転不能に連結されるか又は第１中間軸９１に対して相対回転可能に構成される。第２トルクリミッタ１２２の出力軸１２８は、第２回転伝達切換装置６２の第２ストッパ部８２及び第２トルク発生部１０２の第２中間軸９２に対してスライドすることにより第２中間軸９２に相対回転不能に連結されるか又は第２中間軸９２に対して相対回転可能に構成される。
【００３０】
図８に示すように、クラッチ部１２７は、出力軸１２８に嵌入された上記内輪部１２４と、出力軸１２８の外周面に接する円柱状の複数のローラ１３３と、複数のローラ１３３を内輪部１２４の中にそれぞれ収容するローラ収容空間１３０と、薄い金属ばね材を一体成型することにより形状された板ばね（図示せず）とを有する。第１トルクリミッタ１２１のクラッチ部１２７は、出力軸１２８が第１遮蔽体２１を繰出す方向に回転するとき、出力軸１２８の回転が外輪部１２３に伝達され、出力軸１２８が第１遮蔽体２１を巻取る方向に回転するとき、出力軸１２８の回転が外輪部１２３に伝達されないように構成される。このため、上記とは逆に、第１遮蔽体２１下端の第１ウエイトバー４１を把持して第１遮蔽体２１を第１巻取パイプ１１から繰出す方向への回転は出力軸１２８に伝達されず、第１遮蔽体２１側から第１遮蔽体２１を第１巻取パイプ１１に巻取る方向への回転は出力軸１２８に伝達されるようになっている。一方、第２トルクリミッタ１２２のクラッチ部１２７は、出力軸１２８が第２遮蔽体２２を繰出す方向に回転するとき、出力軸１２８の回転が外輪部１２３に伝達され、出力軸１２８が第２遮蔽体２２を巻取る方向に回転するとき、出力軸１２８の回転が外輪部１２３に伝達されないように構成される。このため、上記とは逆に、第２遮蔽体２２下端の第２ウエイトバー４２を把持して第２遮蔽体２２を第２巻取パイプ１２から繰出す方向への回転は出力軸１２８に伝達されず、第２遮蔽体２２側から第２遮蔽体２２を第２巻取パイプ１２に巻取る方向への回転は出力軸１２８に伝達されるようになっている。
【００３１】
このように構成されたロールスクリーン１０の動作を説明する。図１、図５及び図７に示すように、操作チェーン１８が第１及び第２巻取パイプ１１，１２の右側に位置するようにロールスクリーン１０を設置した状態、即ち、プーリ及び歯車ユニット２７が第１及び第２巻取パイプ１１，１２の右側に位置するようにロールスクリーン１０を設置した状態で、バー本体１４ａの一対の係止部１４ｃ，１４ｄをバー保持部１３ｂの一対の被係止部１３ｃ，１３ｄに係止させて、支持バー１４を２つのブラケット１３，１３に取付ける。この状態で操作チェーン１８の室内側の操作部を図５の実線矢印で示す方向に引下げ操作すると、この操作力は、プーリ１９、駆動ギヤ２３ａ、中間ギヤ２３ｂ及び第１従動ギヤ２３ｃを介して第１回転伝達切換装置６１に伝達される。そして、第１回転伝達切換装置６１において、第１従動ギヤ２３ｃの図５の実線矢印で示す方向への回転力は、第１クラッチ部７１、第１中間軸９１及び第１トルクリミッタ１２１の出力軸１２８に伝達される。このとき第１トルクリミッタ１２１に作用するトルクは所定値未満であるので、第１トルクリミッタ１２１の出力軸１２８の回転力は、第１トルクリミッタ１２１のクラッチ部１２７、トルク発生部１２６、第１リミッタケース１４１及び第１筒体１１１を介して第１巻取パイプ１１に伝達され、第１遮蔽体２１が第１巻取パイプ１１から繰出される。そして、操作チェーン１８の引下げ操作を停止すると、第１回転伝達切換装置６１のロック機能により第１遮蔽体２１がその位置で一時的に固定される。なお、操作チェーン１８の室内側の操作部を図５の実線矢印で示す方向に引下げ操作すると、この操作力は第２回転伝達切換装置６２に伝達されるけれども、第２回転伝達切換装置６２の第２クラッチ部７２が空転するため、第２巻取パイプ１２には伝達されない。
【００３２】
次に、操作チェーン１８の室内側の操作部を図５の実線矢印で示す方向に僅かに引下げ操作した後に操作チェーン１８から手を放すと、第１転動体８１ｅが第１正転阻止用ポケット（図示せず）から離脱して、第１巻取ばね３１に蓄えられた付勢力により第１巻取パイプ１１を第１遮蔽体２１の巻取り方向に回転させる。このとき第１遮蔽体２１の巻取り方向への第１巻取パイプ１１の回転は第１トルクリミッタ１２１、出力軸１２８、第１中間軸９１及び第１トルク発生部１０１を介して第１ストッパ部８１の第１円筒カム８１ａに伝達されるので、第１転動体８１ｅが第１ガイド溝８１ｄの右端に達して第１ストッパ部８１及び第１トルク発生部１０１が左方向にスライドし、第１スライド用ポケット（図示せず）に収容されて、第１ストッパ部８１及び第１トルク発生部１０１は第１カム用ケース８１ｃの左端に達する。このため、上記出力軸１２８が第１中間軸９１に対して相対回転可能になるので、第１遮蔽体２１は第１巻取ばね３１の付勢力により第１巻取パイプ１１に巻取られ続け、第１ウエイトバー４１が支持バー１４のバー本体１４ａの他端縁に第１クッションバー５１を介し当接して停止する。これにより、第１クッションバー５１が上記当接時の衝撃を吸収できるとともに、その衝撃音を吸収して低減できる。なお、第１遮蔽体２１の巻取り時に操作チェーン１８や駆動ギヤ２３ａ等は停止した状態に保たれる。また、第２遮蔽体２２が第２巻取ばね１２の付勢力により第２巻取パイプ１２に巻取られて第２ウエイトバー４２が支持バー１４のカバー部１４ｂの下端縁に第２クッションバー５２を介して当接する。これにより、第２クッションバー５２が上記当接時の衝撃を吸収できるとともに、その衝撃音を吸収して低減できる。
【００３３】
一方、支持バー１４のカバー部１４ｂの下端縁を第１及び第２巻取パイプ１１，１２のうち下側の第２巻取パイプ１２の上面より所定の距離だけ下方に位置するので、窓から入射した室外の光が、第１及び第２巻取パイプ１１，１２の間の隙間を通って室内に侵入しようとしても、カバー部１４ｂにより遮蔽されるとともに、室内の光が第１及び第２巻取パイプ１１，１２の間の隙間を通って窓から室外に漏れようとしても、カバー部１４ｂにより遮蔽される。この結果、第１及び第２巻取パイプ１１，１２間の隙間からの光漏れを防止できる。また、上述のように、第１遮蔽体２１が第１巻取パイプ１１に巻取られていくと、第１ウエイトバー４１がバー本体１４ａの他端縁に第１クッションバー５１を介して当接し、第２遮蔽体２２が第２巻取りパイプ１２に巻取られていくと、第２ウエイトバー４２がカバー部１４ｂの下端縁に第２クッションバー５２を介して当接するので、上記当接時に、第１及び第２遮蔽体２１，２２の殆ど全てが第１及び第２巻取パイプ１１，１２にそれぞれ巻取られる。この結果、第１及び第２遮蔽体２１，２２の巻取り上限位置における見栄えを向上できる。従って、第１及び第２巻取パイプ１１，１２間の隙間からの光漏れの防止と、第１及び第２遮蔽体２１，２２の巻取り上限位置における見栄えの向上の双方を達成できる。
【００３４】
操作チェーン１８が第１及び第２巻取パイプ１１，１２の右側に位置するようにロールスクリーン１０を設置した状態（図１及び図５）から、支持バー１４を２つのブラケット１３，１３から取外し、ロールブラインド１０を左右反転させて、操作チェーン１８が第１及び第２巻取パイプ１１，１２の左側に位置するようにロールスクリーン１０を設置した状態（図６）で、バー本体１４ａの一対の係止部１４ｃ，１４ｄをバー保持部１３ｂの一対の被係止部１３ｃ，１３ｄに係止させて、支持バー１４をブラケット１３，１３に取付ける。このときバー本体１４ａの一対の係止部１４ｃ，１４ｄから等距離にある点を通りかつ壁１５に平行な鉛直面を面Ｘとし、第１巻取パイプ１１の軸線を含む鉛直面と第２巻取パイプ１２の軸線を含む鉛直面との間に両鉛直面から等距離に位置する鉛直面を面Ｙとするとき、面Ｘと面Ｙが一致するように構成しているので、支持バー１４がブラケット１３の壁取付部１３ｂや壁１５に接触することない。また、上記左右反転により、支持バー１４のカバー部１４ｂが窓側から室内側に或いは室内側から窓側に移行するけれども、第１遮蔽体２１が第２遮蔽体２２の位置に垂下され、第２遮蔽体２２が第１遮蔽体２１の位置に垂下されるので、即ち第１遮蔽体２１と第２遮蔽体２２の位置が相互に入れ替わるだけであるため、第１及び第２遮蔽体２１，２２により室内が狭められることはない。更に、ロールブラインド１０を左右反転させて、操作チェーン１８が第１及び第２巻取パイプ１１，１２の左側に位置するようにロールスクリーン１０を設置した状態（図６）では、第１及び第２巻取パイプ１１，１２間の隙間からの光漏れは、第１及び第２巻取パイプ１１，１２より室内側に位置する支持バー１４のカバー部１４ｂにより防止できる。
【００３５】
＜第２の実施の形態＞
図９及び図１０は本発明の第２の実施の形態を示す。図９及び図１０において図１及び図２と同一符号は同一部品を示す。この実施の形態では、操作部材が、第１遮蔽体２１の下端中央に垂下された第１プル操作具２１１と、第２遮蔽体２２の下端中央に垂下された第２プル操作具２１２とを有する。第１プル操作具２１１は、第１ウエイトバー４１の長手方向中央に嵌着され、第１プル操作具２１１の操作により第１巻取パイプ１１を正転又は逆転させることができるようになっている。第２プル操作具２１２は、第２ウエイトバー４２の長手方向中央に嵌着され、第２プル操作具２１２の操作により第２巻取パイプ１２を正転又は逆転させるように構成される。また、第１の実施の形態の比較的複雑な機構の第１及び第２回転伝達切換装置や、第１及び第２トルクリミッタ、歯車列に替えて、比較的簡単な機構の第１及び第２クラッチ２２１，２２２が用いられる。第１クラッチ２２１は、第１遮蔽体２１を巻取る方向に第１巻取パイプ１１に第１巻取ばね１３の付勢力が作用している状態で第１プル操作具２１１により第１遮蔽体２１を僅かに引下げて手を放すと、第１巻取ばね３１の付勢力による第１巻取パイプ１１の巻取り方向への回転を阻止し、第１巻取パイプ１１の巻取り方向への回転が阻止された状態で第１プル操作具２１１により第１遮蔽体２１を僅かに引下げて手を放すと、第１巻取ばね３１の付勢力による第１巻取パイプ１１の巻取り方向への回転を許容するように切換え可能に構成される。また、第２クラッチ２２２は、第２遮蔽体２２を巻取る方向に第２巻取パイプ１２に第２巻取ばね３２の付勢力が作用している状態で第２プル操作具２１２により第２遮蔽体２２を僅かに引下げて手を放すと、第２巻取ばね３２の付勢力による第２巻取パイプ１２の巻取り方向への回転を阻止し、第２巻取パイプ１２の巻取り方向への回転が阻止された状態で第２プル操作具２１２により第２遮蔽体２２を僅かに引下げて手を放すと、第２巻取ばね３２の付勢力による第２巻取パイプ２２の巻取り方向への回転を許容するように切換え可能に構成される。上記以外は第１の実施の形態と同一に構成される。
【００３６】
このように構成されたロールスクリーン２１０の動作を説明する。図９に示すように、バー本体１４ａの一対の係止部１４ｃ，１４ｄをバー保持部１３ｂの一対の被係止部１３ｃ，１３ｄに係止させて、支持バー１４を２つのブラケット１３，１３に取付ける。第１プル操作具２１１を所望の高さまで引下げた状態で、第１プル操作具２１１により第１遮蔽体２１を僅かに引下げて手を放すと、第１クラッチ２２１が第１巻取ばね３１の付勢力による第１巻取パイプ１１の巻取り方向への回転を阻止するので、第１遮蔽体２１は所望の高さで一時的に固定される。この状態、即ち第１巻取パイプ１１の巻取り方向への回転が阻止された状態で、第１プル操作具２１１により第１遮蔽体２１を僅かに引下げて手を放すと、第１クラッチ２２１が第１巻取ばね３１の付勢力による第１巻取パイプ１１の巻取り方向への回転を許容するので、第１巻取ばね３１に蓄えられた付勢力により第１巻取パイプ１１が第１遮蔽体２１の巻取り方向に回転し、第１ウエイトバー４１が支持バー１４のバー本体１４ａの他端縁に第１クッションバー５１を介し当接して停止する。これにより、第１クッションバー５１が上記当接時の衝撃を吸収できるとともに、その衝撃音を吸収して低減できる。また、第２遮蔽体２２が第２巻取ばね１２の付勢力により第２巻取パイプ１２に巻取られて第２ウエイトバー４２が支持バー１４のカバー部１４ｂの下端縁に第２クッションバー５２を介して当接する。これにより、第２クッションバー５２が上記当接時の衝撃を吸収できるとともに、その衝撃音を吸収して低減できる。
【００３７】
一方、ロールブラインド２１０を左右反転させた状態で、バー本体１４ａの一対の係止部１４ｃ，１４ｄをバー保持部１３ｂの一対の被係止部１３ｃ，１３ｄに係止させて、支持バー１４をブラケット１３，１３に取付ける。このときバー本体１４ａの一対の係止部１４ｃ，１４ｄから等距離にある点を通りかつ壁１５に平行な鉛直面を面Ｘとし、第１巻取パイプ１１の軸線を含む鉛直面と第２巻取パイプ１２の軸線を含む鉛直面との間に両鉛直面から等距離に位置する鉛直面を面Ｙとするとき、面Ｘと面Ｙが一致するように構成しているので、支持バー１４がブラケット１３の壁取付部１３ｂや壁１５に接触することない。上記以外の動作は、第１の実施の形態の動作と略同様であるので、繰返しの説明を省略する。
【００３８】
なお、上記第１及び第２の実施の形態では、第１及び第２巻取パイプを、一対の支持部材、支持バー及びブラケットを介して壁に回転可能に取付けたが、第１及び第２巻取パイプを、一対の支持部材、支持バー及びブラケットを介して窓枠又は天井に回転可能に取付けてもよい。
【符号の説明】
【００３９】
１０，２１０  ロールスクリーン
１１  第１巻取パイプ
１２  第２巻取パイプ
１３  ブラケット
１３ｃ，１３ｄ  被係止部
１４  支持バー
１４ａ  バー本体
１４ｂ  カバー部
１４ｃ，１４ｄ  係止部
１５  壁
１６，１７  支持部材
１８  操作チェーン（操作部材）
２１  第１遮蔽体
２２  第２遮蔽体
３１  第１巻取ばね
３２  第２巻取ばね
４１  第１ウエイトバー
４２  第２ウエイトバー
５１  第１クッションバー
５２  第２クッションバー
２１１  第１プル操作具（操作部材）
２１２  第２プル操作具（操作部材）
【図１】
2018066235.tif 000003
【図２】
2018066235.tif 000004
【図３】
2018066235.tif 000005
【図４】
2018066235.tif 000006
【図５】
2018066235.tif 000007
【図６】
2018066235.tif 000008
【図７】
2018066235.tif 000009
【図８】
2018066235.tif 000010
【図９】
2018066235.tif 000011
【図１０】
2018066235.tif 000012